(57)【要約】【課題】  映像信号を電気的に処理する過程で、必要なマスキング処理を行なう投射型映像装置と投射型映像方法を提供する。【解決手段】  与えられるデジタル映像信号に対しデジタル処理を施した後に、このデジタル映像信号にマスク処理を行なうマスク処理部と、映像光を照射させるべく光を照射する発光部と、光を複数のミラーユニットに照射し、ミラーユニットをマスク処理済映像信号に応じて制御することで、デジタル映像信号に応じた映像光にして投射するＤＭＤ部と、このＤＭＤ部からの映像光を受けて映像を表示するスクリーン部を有する投射型映像装置。【選択図】図１
2007199678.tif 000002
【特許請求の範囲】
【請求項１】
与えられるデジタル映像信号に対しデジタル処理を施した後に、このデジタル映像信号にマスク処理を行なうマスク処理部と、
光を照射する発光部と、
光を複数のミラーユニットに照射し、前記ミラーユニットを前記マスク処理部からのマスク処理済映像信号に応じて制御することで、前記発光部から照射された光を前記デジタル映像信号に応じた映像光にして投射するＤＭＤ部と、
前記ＤＭＤ部からの前記映像光を受けて映像を表示するスクリーン部と、
を具備することを特徴とする投射型映像装置。
【請求項２】
前記デジタル映像信号の位相調整を行なうための位相調整パタンを記憶領域に格納しており、前記位相調整パタンに応じた映像光を前記スクリーン部に照射しながら前記デジタル映像信号の位相調整を行なう制御部を更に有することを特徴とする請求項１記載の投射型映像装置。
【請求項３】
前記デジタル映像信号のマスク処理を行なうためのメンテナンスモードを設け、これを選択することにより前記マスク処理部のマスク処理を行なう制御部を更に有することを特徴とする請求項１記載の投射型映像装置。
【請求項４】
前記マスク処理部は、前記デジタル映像信号について、ｘ方向のマスク処理及びｙ方向のマスク処理をそれぞれ独立して行なうことを特徴とする請求項１記載の投射型映像装置。
【請求項５】
与えられるデジタル映像信号に対しデジタル処理を施した後に、このデジタル映像信号にマスク処理を行なってマスク処理済映像信号を出力し、
映像光を照射させるべく光を照射し、
前記マスク処理済映像信号に応じて反射量を調節することで、前記発光部からの光を前記デジタル映像信号に応じた映像光にして投射し、
前記映像光をスクリーンに投射して映像を表示することを特徴とする投射型映像方法。
【発明の詳細な説明】
【技術分野】
【０００１】
本発明は、投射型映像装置であり、特にスクリーンを用いた投射型映像装置に関する。
【背景技術】
【０００２】
投射型映像装置として例えばプロジェクションテレビにおいては、映像がスクリーンに投射される。このとき、この投射においては映像周囲の余分な部分をマスキングすることが多い。そして、多くは映像を投射するまでの途中経路の中、後段部分でマスキングが行なわれる。例えば、この後段部分は、スクリーンを貼り付けてあるキャビネット部分である。
【０００３】
また更に、中段部分としては、映像を担う光が通過するレンズ近辺でアパーチャを設ける方式がある。例えば、特許文献１によるものは、光が通過する複数のレンズ群の中間にアパーチャを設ける方式のものである。
【特許文献１】特開平５−１５７９８４
【発明の開示】
【発明が解決しようとする課題】
【０００４】
しかし、特許文献１の従来技術においては、このように映像光を投射するまでの途中経路の中、後段部分でマスキングを行なうものは、機械的で非効率な対策が必要であるという問題がある。
【０００５】
本発明は、効率的で確実な映像光のマスキング処理を行う投射型映像装置を提供することを目的とする。
【課題を解決するための手段】
【０００６】
課題を解決するための手段の一つは、与えられるデジタル映像信号に対しデジタル処理を施した後に、このデジタル映像信号にマスク処理を行なうマスク処理部と、光を照射する発光部と、光を複数のミラーユニットに照射し、前記ミラーユニットを前記マスク処理部からのマスク処理済映像信号に応じて制御することで、前記発光部から照射された光を前記デジタル映像信号に応じた映像光にして投射するＤＭＤ部と、前記ＤＭＤ部からの前記映像光を受けて映像を表示するスクリーン部を具備することを特徴とする投射型映像装置である。
【発明の効果】
【０００７】
与えられるデジタル映像信号に対して電気的な処理の段階で必要なマスク処理を施すことが可能となる。
【発明を実施するための最良の形態】
【０００８】
以下、本発明の一実施形態に係る投射型映像装置を図面を用いて詳細に説明する。
【０００９】
＜本発明の一実施形態に係る投射型映像装置＞
図１は、本発明の一実施形態である投射型映像装置の外観の一例を示す外観図、図２は、本発明の一実施形態である投射型映像装置の電気的構成の一例を示すブロック図である。
【００１０】
本発明の一実施形態に係る投射型映像装置１は、図１に示すように、全体の動作を制御すると共にマスク調整処理を制御し又マスク調整用パタンを記憶領域に格納する制御部１１と、制御部１１に電源を投入したりチャンネルを変えたり音量を調整する等の操作を行う操作部１２を有しており、更に、マスク処理の際にＸ方向及びＹ方向のマスク量を制御部１１に供給するための表示部をもったマスク入力部１３が着脱可能に接続されている。
【００１１】
更に、本発明の一実施形態に係る投射型映像装置１は、地上波又は衛星波についてアナログ放送又はデジタル放送の放送信号を受信し復調するチューナ部１４と、チューナ部から映像信号を受けるデジタル処理部１５と、制御部１１からの制御信号を受けて光の強度を決定し駆動信号をライト２１に供給するドライバ２０と、駆動信号をうけて光を照射するライト２１と、デジタル処理部１５からマスク処理を受けた映像信号を供給されるＤＭＤ（Digital Micro Mirror Device）２２と、ＤＭＤ２２から照射される映像光が投射されるスクリーン部２を有している。
【００１２】
なお、ＤＭＤ２２とは、マイクロミラーの角度を静電力で制御する光空間変調素子である。このＤＭＤ２２は、複数の電極間で発生させた静電力で、導体ミラーの角度を自在に制御する素子である。
【００１３】
即ち、光源２１からの光をミラー装置ＤＭＤ２２に照射し、ミラー装置ＤＭＤ２２を構成する各ミラーユニットを映像信号の明るさに応じてオンオフ制御し、各ミラーユニットからの反射光をスクリーン部２に投影することで映像を表示することができる。また、Ｒ（赤），Ｇ（緑），Ｂ（青）の光を順次、時分割的にミラー装置ＤＭＤ２２に照射し、各ミラーユニットをＲ，Ｇ，Ｂの映像出力に応答して順次オンオフ制御して得られたカラー反射光をスクリーン部２に投影することにより、カラー映像を表示することができる。
【００１４】
更に、本発明の一実施形態に係る投射型映像装置１は、チューナ部１４からの音声信号を受けて音質処理・音像処理等を行なうオーディオ部２３を有している。更に、先にあげたデジタル処理部は、チューナ部１４や入力端から受けた映像信号を適宜格納するキャプチャ部１６と、その映像信号にスケーリング処理を施すスケーリング部１７と、この信号をＩＰ変換等を行なうＩＰ変換部１８と、デジタル映像信号を対象としたマスク処理部１９を有している。
【００１５】
このような構成において、本発明の一実施形態に係る投射型映像装置１は、操作部１２から指示されたチャンネルに応じた放送信号をチューナ部１４により、選局して受信し復調処理を行なって、映像音声信号をデジタル処理部１５に供給する。ここでは、与えられたデジタル映像音声信号をキャプチャ部１６で取得し、次に、スケーリング部１７で画面に応じてスケーリング処理を行なう。そして、ＩＰ変換部１８でＩＰ変換した後に、マスク処理部１９で後述するようにデジタル映像信号を対象としてマスク処理を行なう。
【００１６】
マスク処理された映像信号は、ＤＭＤ２２に供給される。一方、光源２１からの光をミラー装置ＤＭＤ２２に照射し、ミラー装置ＤＭＤ２２を構成する各ミラーユニットを、マスク処理された映像信号に応じてオンオフ制御し、各ミラーユニットからの反射光をスクリーン部２に投影することで映像を表示することができる。
【００１７】
また、Ｒ（赤），Ｇ（緑），Ｂ（青）の光を順次、時分割的にミラー装置ＤＭＤ２２に照射し、各ミラーユニットをＲ，Ｇ，Ｂの映像出力に応答して順次オンオフ制御して得られたカラー反射光をスクリーン部２に投影することにより、カラー映像をスクリーン２に表示することができる。
【００１８】
＜マスク処理＞
次に、本発明の一実施形態に係るデジタル映像信号を対象としたマスク処理について、図３のフローチャート及び図４の光路の説明図、図５乃至図８のスクリーン部２と映像との関係を示す説明図によって、詳細に説明する。
【００１９】
図３において、本発明の一実施形態に係るデジタル映像信号を対象としたマスク処理について、以下に詳細に説明する。
【００２０】
初めに、ユーザがマスク処理を行なうべく、主にユーザの操作により、動作モードを通常モード等からマスク調整モードに変更する（ステップＳ１１）。なお、この動作モードの変更が必須となるような設定にする必要はなく、通常モードでもマスク処理が可能であるという実施形態も好適である。
【００２１】
そして、初めに、映像位相の調整を行なう（ステップＳ１２）。これはすなわち、図４に示すように光源であるライト２１からの光がＤＭＤ２２に照射し、照射された光の反射光３０である映像光は対物レンズ３１を経由し、反射ミラー３２に照射されて反射されスクリーン部２上に映像を表示する。
【００２２】
このときの映像光は、必ずしも理想的な状態でスクリーンＳに照射するわけではない。図５は、本発明の一実施形態である投射型映像装置における、機構ばらつきがない場合の、スクリーンと映像との関係を示す説明図、図６は、同様に、機構ばらつきによる映像ずれがある場合の、スクリーンと映像との関係を示す説明図である。
【００２３】
図５に示すように、機構ばらつきによる映像ずれがない状態で映像光が照射されればよいが、図６に示すように、機構ばらつきによる映像ずれがある状態で照射される場合もある。このような場合は、スケーリング部１７の処理により位相補正を行なって、図７に示す状態とする。
【００２４】
なお、スケーリング処理の一例として、パネル位置を可変して調整を行なう方法があり、一例として、サイドパネル、上パネル、下パネルのスタート位置、エンド位置をそれぞれ可変して制御を行なう。
【００２５】
このとき、図７において、領域Ａと領域Ｂは許容される範囲であるが、領域Ｃと領域Ｄとは、マスク処理して光らなくすることが、スクリーンＳ上の映像に影響を与えないために必要である。従って、ＩＰ変換部１８によるＩＰ変換後は、領域Ｃと領域Ｄとは、マスク部１９により必要なマスク量のマスク処理を行なう。なお、他の方法としては、量産ラインにおいて、反射するところのキャビネットに黒いテープを張って反射を抑えていたが、時間、コストについて無駄であった。
【００２６】
同様に、図８では、図５の機構ばらつきによる映像ずれがない状態での映像光について、オーバースキャン部分につき適正なマスク領域Ｅ，Ｆをマスク処理することにより、最適な状態の映像光を得ているものである。
【００２７】
ここで、図３のフローチャートに戻ると、映像位相を調整した後は（ステップＳ１２）、図７や図８に示すように、適正なマスク量のマスク処理を行なう。この手順は、一例として、左側のマスク処理を行い（ステップＳ１３）、右側のマスク処理を行い（ステップＳ１４）、上側のマスク処理を行い（ステップＳ１５）、下側のマスク処理を行なう（ステップＳ１６）ことにより行なわれる。しかし、必ずしもこの順序を守る必要はなく、他の順番でマスク処理を行なうことも可能である。
【００２８】
又、本実施形態の基本ポイントは、余分な映像領域をマスクして、余分に光っている部分をなくすことで、スクリーン部２への不要な反射を抑えることである。又、他のポイントとして、ＩＩＣバス制御を使用して、工場調整に使用することである。工場調整が済んだ製品では、マスク入力部１３は、はずして出荷する。多数の製品に対してマスク入力部１３等は、少量だけ生産して使用することが経済的である。
【００２９】
なお、マスク入力部１３に伴う表示部の働きを、スクリーン２にＯＳＤ（オンスクリーンディスプレイ）方式によって代用させることも好適である。この場合は、出荷後には、一般ユーザにはパスワード等の措置により表示できなくすることが望ましい。
【００３０】
以上、本実施形態によれば、スクリーンＳの領域よりも広くオーバースキャンした状態で映像光がスクリーン２に投射されてしまった場合、これを、マスク調整モード等によりマスク処理することで、低コストで効率的な処理により、最適の映像光の状態を得ることが可能となる。
【００３１】
以上記載した様々な実施形態により、当業者は本発明を実現することができるが、更にこれらの実施形態の様々な変形例を思いつくことが当業者によって容易であり、発明的な能力をもたなくとも様々な実施形態へと適用することが可能である。従って、本発明は、開示された原理と新規な特徴に矛盾しない広範な範囲に及ぶものであり、上述した実施形態に限定されるものではない。
【図面の簡単な説明】
【００３２】
【図１】本発明の一実施形態である投射型映像装置の外観の一例を示す外観図。
【図２】本発明の一実施形態である投射型映像装置の電気的構成の一例を示すブロック図。
【図３】本発明の一実施形態である投射型映像装置のマスク処理の一例を示すフローチャート。
【図４】本発明の一実施形態である投射型映像装置のライトの光路の一例を示す説明図。
【図５】本発明の一実施形態である投射型映像装置における、機構ばらつきがない場合の、スクリーンと映像との関係を示す説明図。
【図６】本発明の一実施形態である投射型映像装置における、機構ばらつきによる映像ずれがある場合の、スクリーンと映像との関係を示す説明図。
【図７】本発明の一実施形態である投射型映像装置における、機構ばらつきによる映像ずれと映像オーバースキャン部分がある場合を映像位相調整とマスク処理により調整した、スクリーンと映像との関係を示す説明図。
【図８】本発明の一実施形態である投射型映像装置における、機構ばらつきがなく映像オーバースキャン部分がある場合をマスク処理により調整した、スクリーンと映像との関係を示す説明図。
【符号の説明】
【００３３】
１…投射型映像装置、１１…制御部、１２…操作部、１３…マスク入力部、１４…チューナ部、１５…デジタル処理部、１６…キャプチャ部、１７…スケーリング部、１８…ＩＰコンバータ、１９…マスク部。
【図１】
2007199678.tif 000003
【図２】
2007199678.tif 000004
【図３】
2007199678.tif 000005
【図４】
2007199678.tif 000006
【図５】
2007199678.tif 000007
【図６】
2007199678.tif 000008
【図７】
2007199678.tif 000009
【図８】
2007199678.tif 000010